(57)【要約】【課題】発生させたミストを無駄なく顔面のミスト浴に充当できるミスト循環型美顔器を提供する。【解決手段】ミスト循環型美顔器（1）は、ミスト発生装置（10）と、顔を覆うフード（60）と、前記ミスト発生装置（10）内のミストを前記フード（60）に供給するミスト供給手段（52）（62）と、前記フード（60）内のミストをミスト発生装置（10）に環流させるミスト環流手段（52）（64）とを備え、前記ミスト発生装置（10）とフード（60）との間でミストを循環させる。【選択図】  図１
2014132983.tif 000002
【特許請求の範囲】
【請求項１】
ミスト発生装置と、
顔を覆うフードと、
前記ミスト発生装置内のミストを前記フードに供給するミスト供給手段と、
前記フード内のミストをミスト発生装置に環流させるミスト環流手段とを備え、
前記ミスト発生装置とフードとの間でミストを循環させることを特徴とするミスト循環型美顔器。
【請求項２】
前記ミスト発生装置、ミスト供給手段、フード、ミスト環流手段を順に巡り、ミスト発生装置に戻る循環気流が形成されている請求項１に記載のミスト循環型美顔器。
【請求項３】
前記ミスト発生装置は、水を微細粒子に粉砕してミストを発生させるミスト発生室と、前記ミスト発生室に供給する水を貯留する水タンク室とが、気液の流通が可能な貫通孔を有する仕切り板を介して上下に隣接して設けられたものであり、
前記ミスト供給手段は前記ミスト発生室に連通し、前記ミスト環流手段は前記水タンク室における水面の上方空間に連通する請求項１または２に記載のミスト循環型美顔器。
【発明の詳細な説明】
【技術分野】
【０００１】
本発明はミストを吹き付け顔面のミスト浴を行うための美顔器に関する。
【背景技術】
【０００２】
ミストを利用した装置として顔面のミスト浴を行う美顔器がある（特許文献１〜５参照）。この種の美顔器は、水や美容液からミストを発生させ、発生させたミストをノズルから吐出させて顔にミストを吹き付けるものである。
【先行技術文献】
【特許文献】
【０００３】
【特許文献１】特表２０１２−５１４５１６号公報（明細書段落番号００４８）
【特許文献２】特開２０１２−１３０５５３号公報（特許請求の範囲請求項３）
【特許文献３】実開昭５３−６４６５３号公報
【特許文献４】実公昭５９−２５３９６号公報
【特許文献５】特公昭５７−４１９４６号公報
【発明の概要】
【発明が解決しようとする課題】
【０００４】
これら従来の美顔器においては、ミストは顔に吹き付けられた後に吐出の勢いで大気中に放散されている。ミストはノズルから連続して吐出されているので、終始顔にミストが当たっているのではあるが、顔に当たったミストが再度顔に当たることはない。また、顔に当たることなく放散するミストも多い。このように、発生させたミストのうちの一部しかミスト浴に使われておらず、ミストが無駄に消費されている。
【０００５】
特許文献１、３〜５に記載された美顔器は鉢形のフード内にミストを吐出させてミストの放散を抑制しているが、フード内容積を超えるミストは大気中に放散されている。
【０００６】
また、特許文献１に記載された美顔器は、超音波振動によって発生させたミストのうちの大きい粒子をミスト生成材料である水溶液に環流させているが、これは粒子サイズを選別して微細粒子のみをミスト浴に供することが目的であり、噴出ヘッド部（ミスト吐出ノズル）から吐出したミストは大気中に放散されている。また、特許文献２に記載された美顔器は、ミスト吐出口付近に付着した液体をミスト発生装置に環流しているが、微細粒子にならずに液滴となったものを回収しているにすぎない。
【課題を解決するための手段】
【０００７】
本発明は、上述した技術背景に鑑みて、発生させたミストを無駄なく顔面のミスト浴に充当できるミスト循環型美顔器を提供するものである。
【０００８】
即ち、本発明は［１］〜［３］に記載の構成を有する。
【０００９】
［１］ミスト発生装置と、
顔を覆うフードと、
前記ミスト発生装置内のミストを前記フードに供給するミスト供給手段と、
前記フード内のミストをミスト発生装置に環流させるミスト環流手段とを備え、
前記ミスト発生装置とフードとの間でミストを循環させることを特徴とするミスト循環型美顔器。
【００１０】
［２］前記ミスト発生装置、ミスト供給手段、フード、ミスト環流手段を順に巡り、ミスト発生装置に戻る循環気流が形成されている前項１に記載のミスト循環型美顔器。
【００１１】
［３］前記ミスト発生装置は、水を微細粒子に粉砕してミストを発生させるミスト発生室と、前記ミスト発生室に供給する水を貯留する水タンク室とが、気液の流通が可能な貫通孔を有する仕切り板を介して上下に隣接して設けられたものであり、
前記ミスト供給手段は前記ミスト発生室に連通し、前記ミスト環流手段は前記水タンク室における水面の上方空間に連通する前項１または２に記載のミスト循環型美顔器。
【発明の効果】
【００１２】
［１］に記載の発明によれば、ミスト発生装置内のミストはミスト供給手段によってフードに運ばれ、フードにおいて顔面のミスト浴に供された後、大気中に放散されることなく、ミスト環流手段によってミスト発生装置に環流される。環流されたミストは、ミスト発生装置で発生させたミストとともに再びフードに運ばれてミスト浴に供される。このようなミストの循環により、発生させたミストの大部分を無駄なくミスト浴に充当することができる。
【００１３】
［２］に記載の発明によれば、ミストを循環気流に乗せてミスト発生装置とフードとの間を循環させることができる、
［３］に記載の発明によれば、フードからミスト発生装置に環流したミストのうち、微細な水粒子のみが仕切り板の貫通孔を通ってミスト発生室から再度フードに供給され、粗大な水粒子は水タンク室に落下する。従って、微細な水粒子のみをミストとして循環させることができる。
【図面の簡単な説明】
【００１４】
【図１】本発明にかかるミスト循環型美顔器の一実施形態を示す断面図である。
【図２】図１のミスト発生装置におけるミスト発生室と水タンク室との間の仕切り板の平面図である。
【図３】図１のミスト発生装置における羽根車の斜視図である。
【図４】図１のミスト発生装置における羽根車とノズルとの位置関係を示す平面図である。
【図５】ミストの発生状態を示す断面図である。
【図６】ミストの循環経路を示す図である。
【発明を実施するための形態】
【００１５】
図１〜６は本発明にかかるミスト循環型美顔器の一実施形態を示している。
【００１６】
［ミスト循環型美顔器の構造］
図１に示すように、美顔器（1）は、ミスト発生装置（10）と、発生させたミストを顔に吹き付けて顔面のミスト浴を行うフード（60）と、ミストをフード（60）内に供給するミスト供給手段と、フード（60）内のミストをミスト発生装置（10）に環流させるミスト環流手段とを備えている。
【００１７】
前記ミスト発生装置（10）は、平面視円形のミスト発生室（11）と水タンク室（12）を備え、これらは仕切り板（20）によって上下に区画されている。図２に示すように、前記仕切り板（20）は両室（11）（12）の断面に相当する円の一部を直線で切り欠いた変形円であり、複数の孔（21）が穿設されている。従って、前記ミスト発生室（11）と水タンク室（12）とは、前記仕切り板（20）の孔（21）および切欠部分（22）において、気液は自由に流通することができる。前記孔（21）および切欠部分（22）は本発明の貫通孔に対応する。
【００１８】
前記ミスト発生室（11）内には、羽根車（30）および２本のノズル（40）（40）が設置されている。
【００１９】
図３に示すように、前記羽根車（30）は、円形のベース板（31）と、このベース板（31）と同一径の天板（32）と、これらの間に取り付けられた１０枚の湾曲した羽根板（33）とによって構成されている。前記ベース板（31）の中心には軸受孔（34）が設けられている。また、前記天板（32）は、中心に前記軸受孔（34）よりも径の大きいミスト送出孔（35）が形成され、環形を呈している。前記天板（32）の外周縁とミスト送出孔（35）の周縁との間が羽根板取付領域であり、１０枚の羽根板（33）が回転方向を横切る態様で等間隔で環状に配置され、その上下両端が天板（32）およびベース板（31）に取り付けられている。従って、回転軸の周りは羽根板（33）の無い環状空間（36）である。前記羽根車（30）は、中心の軸受孔（34）が前記仕切り板（20）の中央に取り付けられた軸受けユニット（13）に係合され、該軸受けユニット（13）に回動自在に支持されている。前記羽根車（30）はその回転軸が鉛直線上に設置され、水平面内で回動する。
【００２０】
図１、２、４に示すように、前記２本のノズル（40）は中心に通水路（41）を有する円柱形であり、側面に形成された吐水口（42）は水の噴出力を高めるために縮径されている。２本のノズル（40）（40）は、仕切り板（20）において前記羽根車（30）の外方の対向位置に取り付けられ、吐水口（42）は湾曲する羽根板（33）の内面側に向けられている。また、２本のノズル（40）（40）の上端面に整流板（43）が架け渡されてねじ止めされている。
【００２１】
図１に示すように、前記水タンク室（12）はヒーター（50）を備え、室内に貯留した水は加熱される。水タンク室（12）内の水は温水として室外に設置したポンプ（51）によって加圧温水としてノズル（40）に送られる。なお、図１において、水タンク室（12）、ポンプ（51）、ノズル（40）を連結する送水管は図示が省略されている。また、前記ミスト発生室（11）の天井板（11a）は開閉自在であり、水タンク室（12）への水の供給は、天井板（11a）を開いてミスト発生室（11）に水を注ぎ、仕切り板（20）の孔（21）および切欠部分（22）から水タンク室（12）に落とし込むことによって行う。
【００２２】
また、前記水タンク室（12）に隣接する送風室（54）にはファン（52）が設置され、通気口（53）を通じて、水面と仕切り板（20）との間の空間（55）に空気を送っている。水タンク室（12）とミスト発生室（11）とは仕切り板（20）を通じて気液の流通が自由であるから、水タンク室（12）内に送風することによってミスト発生室（11）にも空気が送られ、ミスト発生室（11）内は下方から上方に向かって空気が流れている。
【００２３】
前記フード（60）は略半球体であり、開口部（61）の直径は顔を覆う寸法に設定されている。前記フード（60）は送出管（62）を介してミスト発生室（11）に連通し、かつ、吸気管（64）および送風室（54）を介して水タンク室（12）に連通している。
【００２４】
前記ミスト室（11）と水タンク室（12）とは仕切り板（20）を介して連通しているので、ミスト発生室（11）、送出管（62）、フード（60）、吸気管（64）、送風室（54）、水タンク室（12）を巡り、仕切り板（20）を通ってミスト発生室（11）に戻る循環経路が形成されている。また、前記ファン（52）の稼働によって、フード（60）から吸気管（64）を介して送風室（54）に空気が引き込まれ、引き込まれた空気は水タンク室（12）の空間（55）に送られ、仕切り板（20）を通り、ミスト発生室（11）から送出管（62）を介してフード（60）に送られ、再び吸気管（64）を介して送風室（54）に空気が引き込まれるという空気の流れが形成されている。即ち、図６に示すように、美顔器（1）内において、ミスト発生室（11）、送出管（62）、フード（60）、吸気管（64）、送風室（54）、水タンク室（12）の空間（55）、仕切り板（20）を順に巡り、ミスト発生室（11）に戻る循環気流（Ｃ）が形成されている。
【００２５】
前記美顔器（1）において、送出管（62）およびファン（52）は本発明におけるミスト供給手段を構成し、吸気管（64）およびファン（52）はミスト環流手段を構成している。
【００２６】
［ミストの発生および循環］
前記美顔器（1）においては、以下のようにして、ミストを発生させ、発生させたミストをミスト発生装置（10）とフード（60）との間で循環させている（図４〜６参照）。
【００２７】
前記ミスト発生室（10）において、２本のノズル（40）の吐出口（42）から羽根車（30）に吹き付けられた温水の噴出流（Ｆ）は羽根板（33）に衝突し、衝突の衝撃によって多数の微細な水粒子に粉砕されるとともに、羽根車（30）を回転させる。また、粉砕した微細水粒子の一部は、ベース板（31）、天板（32）、隣接する羽根板（33）に再衝突してさらに粉砕される。粉砕された微細水粒子のうち、羽根車（30）の外周近くにあるものは遠心力の影響を強く受けて、ミスト（Ｍ）として羽根車（30）の側方に吹き飛ばされる。また、羽根車（30）の中心近くにある微細水粒子は遠心力の影響が小さいので、環状空間（36）を通って天板（32）のミスト送出孔（35）からミスト（Ｍ）として上方に送り出され、さらに整流板（43）によって側方に送り出される。
【００２８】
前記羽根車（30）から送り出されたミスト（Ｍ）は前記循環気流（Ｃ）に乗ってミスト発生室（11）の空気出口である送出管（62）の入口（63）に運ばれ、送出管（62）からフード（60）に送り出される。前記フード（60）は開口部（61）に顔を入れることによってほぼ閉塞された状態となるので、フード（60）内にミストが充満してミストが顔全体にくまなく行き渡って良好なミスト浴が行われる。前記フード（60）に供給されたミストは、開口部（61）の縁と顔との僅かな隙間から放散されるもの除いてフード（60）内に留まり、循環気流（Ｃ）に乗って吸気管（64）および送風室（54）を通じて水タンク室（12）内の空間（55）に送られる。水タンク室（12）に運ばれたミストは、微細な水粒子は循環気流（Ｃ）に乗って上昇し、仕切り板（20）の孔（21）および切欠部分（22）を通り抜けてミスト発生室（11）に運ばれ、新たに発生させたミストに混じって再びフード（60）に送出される。また、前記フード（60）内、あるいはフード（60）から水タンク室（12）に運ばれる間に粗大化したために循環気流（Ｃ）に乗って上昇できない水粒子は水タンク室（12）内に落下する。落下した水粒子は水タンク室（12）内の貯留水に混じり、再びノズル（40）に供給されてミストの発生源として利用される。このように、循環気流（Ｃ）に乗って上昇できる微細な水粒子だけがミストとして再利用されるので、フード（60）には常時微細水粒子のみで形成されたミストが供給される。
【００２９】
前記美顔器（1）においては、フード（60）の開口部（61）から放散されるミスト量は僅かである。その上、発生させたミストはミスト発生装置（10）とフード（60）との間で循環している。これらにより、ミスト発生装置（10）で発生させたミストの大部分がミスト浴に充当される。従って、本発明の美顔器と従来の美顔器と比較において、ミストの発生量が同等であれば本発明の美顔器はミスト浴への充当量が増え、ミスト浴への充当量が同等であればミストの発生量が少なくて済む。
【００３０】
また、前記フード（60）内のミストをミスト発生装置（10）に環流させることでフード（60）内のミストが流動するので、顔に接触するミストが絶えず入れ替わる。このようなミストの流動はミスト浴による美容効果を高める上で好ましいことである。
【００３１】
また、前記循環気流（Ｃ）は水タンク室（12）を通り仕切り板（20）の複数箇所からミスト発生室（11）に流入しているので、フード（60）から運ばれたミストを水タンク室（12）経由で循環させることによって、ミスト発生室（11）で新たに発生させたミストと環流させたミストとが均一に混合される。
【００３２】
なお、ミストの循環に伴う水の再利用に関し、皮脂等の混入による汚染が懸念される場合は、ノズル（40）への送水管上にフィルター等の公知の水浄化手段を設置する、あるいは水タンク室（12）の水を適宜交換する等の対策をとることによって問題を回避できる。
【００３３】
本発明のミスト循環型美顔器は上記の形態に限定されるものではない。
【００３４】
ミスト発生装置は羽根車に２つの噴出流を衝突させるものには限定されない。他のミスト発生装置として、複数の噴出流を衝突させて水粒子を粉砕するもの、水と圧縮空気とを混合して噴出することにより水粒子を粉砕するもの、超音波振動によって微細水粒子を生成するものを例示できる。ただし、前記ミスト発生装置（10）は以下の点でミストの発生効率が高く小型化に有利である。
【００３５】
前記ミスト発生装置（10）によれば、２本のノズル（40）（40）からそれぞれに噴出流（Ｆ）を羽根板（33）に吹き付けて衝突させるので、粉砕によって発生する微細水粒子の数も多い。また、２つの噴出流（Ｆ）を対向位置から衝突させることで羽根車（30）の回転速度が上昇し、衝突の衝撃が大きくなって粉砕水粒子の微細化が進む。さらに、天板（32）のミスト送出孔（35）からも微細水粒子が送り出されるので、粉砕された水粒子が羽根車（30）内に留まって粗大化することなく、微細水粒子として取り出すことができる。これらはいずれもミスト（Ｍ）の発生効率を高めるものである。複数のノズルを設置すること、回転軸を鉛直線上に設置した羽根車において上側の円板の中心にミスト送出孔を形成されていること、のいずれによってもミスト発生効率を高めることができるので、どちらか一方のみの構成を有するミスト発生装置であってミストの発生効率を高めることができる。また、前記羽根車（30）は噴出流（Ｆ）による従動回転であり、回転用のモーターやモーターに付属する制御装置が不要であることがミスト発生装置の小型化に寄与するから、美顔器のような小型製品に適している。
【００３６】
また、前記ミスト発生装置（10）において、フード（60）から回収したミストを直接ミスト発生室（11）に環流させるように構成した場合も本発明に含まれる。
【００３７】
前記フードの形状も限定されないが、ミストの放散を防ぐために顔をすっぽりと覆うものが好ましく、また十分な量のミストを溜めて良好なミスト浴を行うために、深さのある半球形（図１参照）、碗形、鉢形等のものが好ましい。これらの深さのあるフードは眼前が覆われることに対する圧迫感を軽減するものである。
【産業上の利用可能性】
【００３８】
本発明は顔面のミスト浴を行う美顔器に利用できる。
【符号の説明】
【００３９】
１…美顔器
10ミスト発生装置
11…ミスト発生室
11a天井板
12…水タンク室
20…仕切り板
21…孔（貫通孔）
22…切欠部分（貫通孔）
30…羽根車
52ファン（ミスト供給手段、ミスト環流手段）
54…送風室
55…空間（水面の上方空間）
60…フード
62…送出管（ミスト供給手段）
64…吸気管（ミスト環流手段）
Ｍ…ミスト
Ｆ…噴出流
Ｃ…循環気流
【図１】
2014132983.tif 000003
【図２】
2014132983.tif 000004
【図３】
2014132983.tif 000005
【図４】
2014132983.tif 000006
【図５】
2014132983.tif 000007
【図６】
2014132983.tif 000008